(57)【要約】【課題】センサの電極を装着者の頭部の適切な位置にフィットさせることと、装着者の頭部の動きに応じて柔軟に動くこととの双方を可能とするセンサ保持具を提供する。【解決手段】センサ保持具１は、帯状に延びる巻付け部１２と、巻付け部１２に設けられ、センサを摺動可能に保持する保持部材１３，１４とを備える。上記巻付け部１２は、装着者の額にセンサが接触するように装着者の額を覆うことが可能な第１の領域１２Ａと、装着者の耳の後側にセンサが接触するように装着者の耳の後側を覆うことが可能な第２の領域１２Ｒとを含む。【選択図】図２
2017086543.tif 000002
【特許請求の範囲】
【請求項１】
帯状に延びる巻付け部と、
前記巻付け部に設けられ、センサを摺動可能に保持する保持部材とを備え、
前記巻付け部は、装着者の額に前記センサが接触するように装着者の額を覆うことが可能な第１の領域と、装着者の耳の後側に前記センサが接触するように装着者の耳の後側を覆うことが可能な第２の領域とを含む、センサ保持具。
【請求項２】
前記第１の領域は、前記巻付け部の長手方向に関する一端側に配置され、
前記第２の領域は、前記長手方向に関して前記第１の領域に隣接するように配置され、
前記巻付け部は、前記第１の領域から前記第２の領域まで広がる第１の面と、前記第１の面と反対側において前記第１の領域から前記第２の領域まで広がる第２の面とを含み、
前記巻付け部の前記第１の面における前記第１の領域には、前記一端側と反対側である他端側に開口を有する、前記保持部材としてのポケット部が形成されている、請求項１に記載のセンサ保持具。
【請求項３】
前記巻付け部の前記第１の面における前記第１の領域には、前記一端側と前記他端側との双方が開口した、前記保持部材としての挿通部が形成されている、請求項２に記載のセンサ保持具。
【請求項４】
前記第２の領域の前記長手方向に交差する短手方向に関する一方側にはラウンド部が形成され、
前記巻付け部は、前記第２の領域の前記他端側に隣接する第３の領域を含む、請求項２または３に記載のセンサ保持具。
【請求項５】
前記第３の領域は、前記第１の領域よりも前記長手方向に交差する短手方向の幅が太く、
前記第３の領域の前記短手方向に関する前記一方側の端部には補強部が配置されている、請求項４に記載のセンサ保持具。
【請求項６】
前記第３の領域は前記第１の領域よりも伸縮性が高い、請求項４または５に記載のセンサ保持具。
【請求項７】
前記第１の領域における前記短手方向の、前記一方側と反対側の他方側の端面の一部には切欠き部が形成されている、請求項４〜６のいずれか１項に記載のセンサ保持具。
【請求項８】
前記巻付け部は、前記一端側および前記他端側を互いに接続可能な接続部を有している、請求項２〜７のいずれか１項に記載のセンサ保持具。
【発明の詳細な説明】
【技術分野】
【０００１】
本発明はセンサ保持具に関し、特に、運動時および睡眠時の頭部生理的信号を測定可能なセンサを頭囲に保持可能なセンサ保持具に関するものである。
【背景技術】
【０００２】
脳波などの頭部生理的信号を検出するセンサは、そこに含まれる電極が被検者の頭のたとえば前額部に接触した状態で測定可能な構成を有している。このため当該センサを頭囲に固定するための保持具（センサ保持具）が一般的に用いられる。具体的には保持具は、これに支持された当該センサの電極を装着者（被検者）の前額部などに接触させた状態で被検者の頭囲に固定させることを可能とする。従来から用いられる、頭囲などに装着することにより脳などから発生する信号を計測する生体磁気計測装置が、たとえば特開平４−２２６６３２号公報（特許文献１）、特表２００７−５２８７４４号公報（特許文献２）に開示されている。
【先行技術文献】
【特許文献】
【０００３】
【特許文献１】特開平４−２２６６３２号公報
【特許文献２】特表２００７−５２８７４４号公報
【発明の概要】
【発明が解決しようとする課題】
【０００４】
頭部生理的信号を検出するセンサは、これを頭囲に装着した状態での運動時または睡眠時に頭が動いた場合であっても、たとえば頭囲に巻かれる巻付け部は動くが巻付け部に保持されたセンサは位置ずれしないことが要求される。このような構成を有すれば、頭部に巻かれる保持具は、運動時または睡眠時に頭が動いても、信号を正確に測定することができる。また当該保持具は、装着者の頭の形状およびサイズの個人差に応じて巻付け部およびセンサが適宜位置ずれすることにより、巻付け部をより多くの装着者の頭に適度にフィットさせることが要求される。以上より当該保持具は、これが保持するセンサに含まれる電極を装着者の頭などにフィットさせた状態で、巻付け部が装着者の頭の動きに応じてある程度自由に動くことが可能な程度に融通が利くことが求められる。
【０００５】
上記の特開平４−２２６６３２号公報においてはセンサが固定されたベルト状の保持具が開示されており、当該ベルト状の保持具が頭囲に巻きつけられることによりセンサが所望の箇所に接触可能に固定される。また上記の特表２００７−５２８７４４号公報においては帽子状の保持具が開示されており、当該帽子状の保持具の内側にセンサが固定可能であり、当該保持具を被検者が被ることによりセンサが所望の箇所に接触可能に固定される。これらのベルト状または帽子状の保持具は、いずれも頭頂部をしっかり覆うことにより頭部に強く保持することを可能とするものである。つまり上記公報の保持具は上記のように運動時または睡眠時に頭が動くことによるセンサの位置ずれ、および装着者の頭の形状等の個人差によるセンサの位置ずれを考慮していないと思われる。このため上記公報の保持具は、センサの電極を装着者の頭囲の所望の位置に適切にフィットさせることと、巻付け部がある程度自由に動けることとの両立ができない可能性がある。
【０００６】
本発明は、上記の課題に鑑みてなされたものであり、その目的は、装着者の頭部生理的信号を検出するセンサを保持するセンサ保持具であり、センサの電極を装着者の頭部の適切な位置にフィットさせることと、装着者の頭部の動きに応じて柔軟に動くこととの双方を可能とするセンサ保持具を提供することである。
【課題を解決するための手段】
【０００７】
本発明に係るセンサ保持具は、帯状に延びる巻付け部と、巻付け部に設けられ、センサを摺動可能に保持する保持部材とを備える。上記巻付け部は、装着者の額にセンサが接触するように装着者の額を覆うことが可能な第１の領域と、装着者の耳の後側にセンサが接触するように装着者の耳の後側を覆うことが可能な第２の領域とを含む。
【発明の効果】
【０００８】
本発明によれば、保持部材がセンサを摺動可能であることと、巻付け部がセンサを装着者の額および耳の後側に接触可能であることとにより、センサの電極を装着者の頭部の適切な位置にフィットさせることと、装着者の頭部の動きに応じて柔軟に動くこととの双方を可能とするセンサ保持具を提供できる。
【図面の簡単な説明】
【０００９】
【図１】実施の形態１に係るセンサ保持具がセンサを保持した状態で被検者に巻き付けられた状態におけるセンサの配置態様を示す概略図（Ａ）および実施の形態１に係るセンサ保持具がセンサを保持した状態で被検者に巻き付けられた状態におけるバッテリおよび回路の配置態様を示す概略図（Ｂ）である。
【図２】実施の形態１に係るセンサ保持具の、特に内表面側の構成を示す概略図である。
【図３】実施の形態１に係るセンサ保持具の、特に外表面側の構成を示す概略図である。
【図４】実施の形態１においてセンサ保持具が保持するセンサの構成を示す概略図である。
【図５】実施の形態１に係るセンサ保持具がセンサを保持した状態における、特に内表面側の状態を示す概略図である。
【図６】実施の形態１に係るセンサ保持具がセンサを保持した状態における、特に外表面側の状態を示す概略図である。
【図７】実施の形態２に係るセンサ保持具の、特に内表面側の構成を示す概略図である。
【図８】実施の形態３に係るセンサ保持具の、特に内表面側の構成を示す概略図である。
【図９】実施の形態４に係るセンサ保持具の、特に内表面側の構成を示す概略図である。
【発明を実施するための形態】
【００１０】
以下、本発明の実施の形態について図に基づいて説明する。
（実施の形態１）
以下、図１〜図３を用いて、本実施の形態に係るセンサ保持具の構成について説明する。まず図１を用いて、センサ保持具が巻き付けられた態様について簡単に説明する。
【００１１】
図１（Ａ）を参照して、本実施の形態に係るセンサ保持具１は、センサ３を保持可能であり、当該センサ３を保持した状態で装着者（被検者）のたとえば頭囲に巻き付け可能な、帯状に延びる部材である。帯状に延びるセンサ保持具１は、装着者の使用時に内側を向く内側の表面としての内表面Ｓ１と、装着者の使用時に外側を向く外側の表面としての外表面Ｓ２とを含んでいる。
【００１２】
センサ保持具１は、内表面Ｓ１側においてセンサ３を保持可能である。センサ３は帯状のセンサ保持具１に沿うように延びており、後述するように、シグナル３２と呼ばれる電極と、リファレンスグランド３３と呼ばれる、電極として検知するポイントを有している。
【００１３】
図１（Ｂ）を参照して、センサ保持具１の外表面Ｓ２側には格納部１１が形成されている。格納部１１は、たとえばその延びる方向に関して互いに間隔をあけて複数（ここでは２つ）形成されている。ここでは一例として、２つの格納部１１のうちの１つである格納部１１Ａにはバッテリ３９が、２つの格納部１１のうちの他の１つである格納部１１Ｂにはセンサ３に接続された回路４０が、それぞれ格納されている。
【００１４】
次に図２および図３を用いて、本実施の形態のセンサ保持具の構成について詳細に説明する。
【００１５】
図２を参照して、センサ保持具１は、その全体の土台としての巻付け部１２を有している。巻付け部１２は図２の左右方向に帯状に延びる部材であり、この帯状に延びる方向に沿って環状を形成するようにたとえば装着者の頭囲に巻き付けることが可能となっている。図２において見えている巻付け部１２の表面は内表面Ｓ１（第１の面）であり、この内表面Ｓ１が巻き付けられることにより装着者の頭囲に接触する。
【００１６】
図２および図３を参照して、巻付け部１２は、内表面Ｓ１側に配置され内表面Ｓ１を含む部材（図２参照）と、外表面Ｓ２側に配置され外表面Ｓ２を含む部材（図３参照）とを含んでいる。巻付け部１２は、内表面Ｓ１および外表面Ｓ２の双方が外側を向きかつこれらが互いに反対方向を向くように、これらの２つの部材が重ね合わせられた構成を有している。内表面Ｓ１側の部材と外表面Ｓ２側の部材とは１枚の生地により形成されており、たとえばこれらが内表面Ｓ１側と外表面Ｓ２側との境界部において折り曲げられ内表面Ｓ１側と外表面Ｓ２側とが重ね合わせられる。そして重ね合わせられた内表面Ｓ１を含む部材と外表面Ｓ２を含む部材とがたとえば縫合により、互いに重なり合うように接合されている。
【００１７】
巻付け部１２を構成するこれらの２つの部材は、たとえば一般公知の布地またはナイロンなどの生地により形成されることが好ましい。仮にプラスチック材料などを用いれば、放熱性に乏しく、電波を通しにくくなるが、生地を用いることにより放熱性および電波の透過性を高めることができる。したがってバッテリ３９および回路４０などの発生する熱および電波を速やかに外部に放出させることができ、装着者が大量の熱および電波を受ける不具合を抑制することができる。
【００１８】
再度図２を参照して、巻付け部１２は、第１の巻付け部１２Ａ（第１の領域）と、第２の巻付け部１２Ｒ（第２の領域）と、第３の巻付け部１２Ｂ（第３の領域）とを含んでいる。第１の巻付け部１２Ａは、巻付け部１２のうち長手方向（図２の左右方向）に関する一端側（図２の右側）に配置されている。第２の巻付け部１２Ｒは、第１の巻付け部１２Ａに対して長手方向に関して隣接するように配置されている。第３の巻付け部１２Ｂは、第２の巻付け部１２Ｒに対して長手方向に関する上記一端側と反対側である他端側（図２の左側）に隣接している。したがって内表面Ｓ１は、第１の巻付け部１２Ａから、第２の巻付け部１２Ｒおよび第３の巻付け部１２Ｂまで広がっている。
【００１９】
なお巻付け部１２は、内表面Ｓ１側および外表面Ｓ２側ともに、第３の巻付け部１２Ｂが第１の巻付け部１２Ａよりも伸縮性の高い材料により形成される。具体的には、たとえば第３の巻付け部１２Ｂは、第１の巻付け部１２Ａに対して、生地（材料）を変更したり、あるいは生地は同じでもその編み方を変更したりすることにより、伸縮性が向上される（伸び縮みしやすくされる）。
【００２０】
図２の巻付け部１２は、長手方向に関する第１の巻付け部１２Ａの一端側端部１２Ｅ１がその先端部においてやや丸みをおびているのに対し、長手方向に関する第３の巻付け部１２Ｂの他端側端部１２Ｅ２は矩形状を有している。ただし本実施の形態においてはこのような態様に限られない。
【００２１】
図２の巻付け部１２は、第１の巻付け部１２Ａの長手方向に交差する短手方向の幅Ｗ１よりも、第３の巻付け部１２Ｂの長手方向に交差する短手方向の幅Ｗ２が太い。このため、第１の巻付け部１２Ａと第３の巻付け部１２Ｂとの間の第２の巻付け部１２Ｒは、第１の巻付け部１２Ａ側から第３の巻付け部１２Ｂ側に向けて、短手方向の幅が漸次太くなるように、その短手方向に関する一方側（図２の下側）にラウンド部ＲＤが形成されている。ラウンド部ＲＤは、たとえば滑らかな曲線を描いているが、これに限らず、たとえば短小な直線が複数集まることにより曲線に類似した形状を描く構成であってもよい。ラウンド部ＲＤは第２の巻付け部１２Ｒにおける図２の下側の端面として形成されている。つまりここでは第２の巻付け部１２Ｒとは、短手方向に関する一方の端面に、その短手方向に関する幅を長手方向に沿って変化させるための、ラウンド部ＲＤが形成された領域をいうものとする。図２においてはラウンド部ＲＤは下側の端面に形成されるが、通常図２における下側は当該センサ保持具１を装着した装着者の頭部の下側に、図２における上側は装着者の頭部の上側に宛がわれる。なおラウンド部ＲＤはたとえば円弧状であってもよいが、これに限らず任意の曲線形状を適用可能である。また図２においては、第３の巻付け部１２Ｂの、第２の巻付け部１２Ｒにおいてラウンド部ＲＤが設けられた側（図２の下側）の端面が、他端側端部１２Ｅ２側に向けて短手方向の幅が漸次やや細くなるように湾曲している。
【００２２】
センサ保持具１は、上記の巻付け部１２の他に、ポケット部１３と、挿通部１４と、切欠き部１５と、ラウンド部緩衝材１７と、接続部１８と、補強部２１とを主に有している。ポケット部１３は、巻付け部１２の内表面Ｓ１における第１の巻付け部１２Ａの、特に上記の一端側（図２の右側）と反対側である他端側（図２の左側）にポケット部開口１３Ｃ（開口）を有するように形成されている。ポケット部開口１３Ｃにおいてはポケット部１３とその真下の巻付け部１２の内表面Ｓ１とが互いに縫合されておらず、両者間に空間が生じる。このためこのポケット部開口１３Ｃから、ポケット部１３と巻付け部１２の内表面Ｓ１とに挟まれる空間内に、センサ３を挿入保持させることが可能となっている。逆に言えばポケット部１３はポケット部開口１３Ｃとは反対側の図２における右側、および図２における上側および下側の端面においてたとえば内表面Ｓ１と縫合されている。これによりポケット部開口１３Ｃからポケット部１３内に、後述するセンサを挿入可能となっている。
【００２３】
以上のようにポケット部１３は、図２の左側のみに内表面Ｓ１と接合されないポケット部開口１３Ｃを有し、図２の右側および上下側においては内表面Ｓ１と接合されている。このためポケット部１３は、ポケット部開口１３Ｃから挿入されたセンサ３が、センサ保持具１に対して図２の左右方向に摺動可能なように保持され得る保持部材としての構成を有している。
【００２４】
挿通部１４は、内表面Ｓ１における第１の巻付け部１２Ａの延びる図２の左右方向に関する中央部付近に、たとえば間隔をあけて複数（ここでは２つ）形成されている。ここでは一例として、２つの挿通部１４のうちの１つである挿通部１４Ａと、２つの挿通部１４のうち他の１つである挿通部１４Ｂとが形成されている。挿通部１４Ａおよび挿通部１４Ｂは、上記一端側（図２の右側）と上記他端側（図２の左側）との双方に挿通部開口１４Ｃが形成されている。言い換えれば挿通部１４Ａおよび挿通部１４Ｂは、一端側と他端側との双方が開口しており、図２における上部および下部の端面においてたとえば内表面Ｓ１と縫合されている。この挿通部開口１４Ｃにより、挿通部１４Ａ，１４Ｂ内に後述するセンサを挿入可能となっている。
【００２５】
以上のように挿通部１４は、図２の左右双方に挿通部開口１４Ｃを有し、図２の上下側においては内表面Ｓ１と接合されている。このため挿通部１４Ａ，１４Ｂは、それぞれの挿通部開口１４Ｃから挿入されたセンサ３が、センサ保持具１に対して図２の左右方向に摺動可能なように保持され得る保持部材としての構成を有している。
【００２６】
切欠き部１５は、第１の巻付け部１２Ａにおける短手方向の、図２の一方側（下側）とは反対側の他方側（上側）の端面の一部に形成されている。図２においては切欠き部１５は、第１の巻付け部１２Ａの上側（第２の巻付け部１２Ｒのラウンド部ＲＤが設けられた側と反対側）の端面の、左右方向に関する中央部付近に形成されている。ただし切欠き部１５は、第１の巻付け部１２Ａの下側（第２の巻付け部１２Ｒのラウンド部ＲＤが設けられた側）の端面の、左右方向に関する中央部付近に形成されてもよい。また切欠き部１５は、左右方向に関して挿通部１４Ａと挿通部１４Ｂとの間に挟まれた領域に形成されることが好ましい。
【００２７】
切欠き部１５は後述するように、センサにバッテリおよび回路を接続するための配線を、巻付け部１２の内表面Ｓ１側から外表面Ｓ２側へ引き出すために形成されている。切欠き部１５は、たとえば第１の巻付け部１２Ａの一方の端面から他方の端面に向かうように、第１の巻付け部１２Ａ内に形成された三角形状を有する、第１の巻付け部１２Ａが欠損した領域である。なお、切欠き部１５は三角形状に限定されるものではない。
【００２８】
巻付け部１２における切欠き部１５に隣接する位置には、保持部１６が配置されている。ここで切欠き部１５に隣接する位置とは、たとえば切欠き部１５としての巻付け部１２の生地が欠けた三角形状の領域に最も近い巻付け部１２の生地が存在する領域（切欠き部１５の三角形状の辺の周囲の領域など）を意味する。保持部１６はたとえば図２および図３の左右方向に延びる面ファスナーなどからなることが好ましい。保持部１６は、切欠き部１５において内表面Ｓ１側から外表面Ｓ２側へ引き出される配線を巻付け部１２に固定するために設けられている。
【００２９】
ラウンド部緩衝材１７（緩衝部材）は、巻付け部１２における第２の巻付け部１２Ｒのラウンド部ＲＤに隣接する部分に、ラウンド部ＲＤに沿うように形成された部材である。ラウンド部緩衝材１７は、巻付け部１２とは別の部材として、たとえば内表面Ｓ１と外表面Ｓ２との間に挟まれるように配置されていることが好ましいが、たとえば内表面Ｓ１上（内表面Ｓ１の外側）に配置されていてもよい。ラウンド部緩衝材１７は、巻付け部１２などラウンド部緩衝材１７以外の部分よりも柔らかい、スポンジなどの材料により形成されることが好ましい。
【００３０】
接続部１８は、たとえば内表面Ｓ１上のうち第３の巻付け部１２Ｂの上記他端側（図２の左側）の領域に配置されており、後述するように外表面Ｓ２上の一部の領域にも配置されている。接続部１８はたとえば面ファスナーにより形成されている。
【００３１】
補強部２１は巻付け部１２の一部、特に第３の巻付け部１２Ｂの短手方向における一方（図２の下側）の端面側に、当該下側の端面に沿うように形成されている。より詳しくは補強部２１は、第２の巻付け部１２Ｒでラウンド部ＲＤが設けられた側と同じ側である図２の下側の端部（端面に隣接する、すなわち端面に近い領域）に配置されている。図２においては補強部２１は、内表面Ｓ１側の巻付け部１２の部材（図２参照）と外表面Ｓ２側の巻付け部１２の部材（図３参照）とが互いに他の領域よりも強固に締め付けるように縫合されることにより他の領域よりも補強された領域である。
【００３２】
再度図３を参照して、図３において見えている巻付け部１２の表面は、図２において見えている内表面Ｓ１と背中合わせになるように図２の巻付け部１２の部材と重ね合わせ接合される外表面Ｓ２（第２の面）である。この外表面Ｓ２は、巻き付けられることにより装着者の頭囲と反対側すなわち外側を向き、外側に露出する（外側に見える）領域となる。外表面Ｓ２側の部材は内表面Ｓ１側の部材と互いに重なり合うため、図３においても図２と同様に、巻付け部１２は第１の巻付け部１２Ａと第２の巻付け部１２Ｒと第３の巻付け部１２Ｂとを有している。言い換えれば外表面Ｓ２は、内表面Ｓ１と反対側において、第１の巻付け部１２Ａから、第２の巻付け部１２Ｒおよび第３の巻付け部１２Ｂまで広がっている。また第１の巻付け部１２Ａの短手方向の幅Ｗ１よりも第３の巻付け部１２Ｂの短手方向の幅Ｗ２の方が太い。
【００３３】
センサ保持具１の巻付け部１２は、外表面Ｓ２側に、格納部１１と、ラウンド部緩衝材１７と、接続部１８と、補強部２１とを主に有している。このうちラウンド部緩衝材１７は上記のように、たとえば内表面Ｓ１と外表面Ｓ２との間に挟まれるように配置されていることが好ましいが、たとえば内表面Ｓ１上（内表面Ｓ１の外側）または外表面Ｓ２上（外表面Ｓ２の外側）に配置されていてもよい。また補強部２１は上記のように内表面Ｓ１側の巻付け部１２の部材と外表面Ｓ２側の巻付け部１２の部材とが互いに縫合されたものであるため、外表面Ｓ２側においても内表面Ｓ１側と同様の態様となる。
【００３４】
外表面Ｓ２上の格納部１１は、格納部１１Ａと格納部１１Ｂとの２つが、巻付け部１２の帯状に延びる方向に関して互いに間隔をあけて形成されている。格納部１１Ａおよび格納部１１Ｂは、いずれもたとえば上記の他端側（図３の右側）に格納部開口１１Ｃを有するように形成されている。つまり格納部１１Ａ，１１Ｂは格納部開口１１Ｃとは反対側の図３における左側、および図３における上側および下側の端面においてたとえば外表面Ｓ２と縫合されている。これにより格納部開口１１Ｃから格納部１１Ａ，１１Ｂ内に、後述するバッテリ３９および回路４０のそれぞれを挿入および保持可能となっている。なお格納部開口１１Ｃは格納部１１Ａ，１１Ｂの上記一端側（図３の左側）に形成されてもよい。
【００３５】
接続部１８は、たとえば外表面Ｓ２上のうち第１の巻付け部１２Ａの上記一端側（図３の左側）の領域に配置されている。外表面Ｓ２上の接続部１８も、内表面Ｓ１上の接続部１８と同様に、たとえば面ファスナーにより形成されている。
【００３６】
以上のように、本実施の形態においては、内表面Ｓ１上の第３の巻付け部１２Ｂの他端側（他端側端部１２Ｅ２の近傍）と、外表面Ｓ２上の第１の巻付け部１２Ａの一端側（一端側端部１２Ｅ１の近傍）とに接続部１８が配置されている。巻付け部１２が帯状に延びる方向に沿って環状を形成するように装着者の頭囲に巻き付けられることにより、巻付け部１２の一端側端部１２Ｅ１と他端側端部１２Ｅ２とが互いに重なり合うように、一端側と他端側との２つの接続部１８同士が互いに接続される。したがってセンサ保持具１の巻き付けにより容易にセンサ３の電極などを装着者の肌に直接触れさせるなど、信号を取り出し可能な状態にすることができる。
【００３７】
次に、図４を用いて、以上のセンサ保持具１により保持されるセンサ３の構成について説明する。図４を参照して、センサ３は、センサ保持具１と同様に細長い形状を有し、額接触部３１Ａと、直線部３１Ｂと、センサラウンド部３１Ｃとを含むセンサ本体部３１を全体の土台として有する部材である。センサ本体部３１は図４に示す外縁に囲まれた部分を主表面とし、図の紙面奥行き方向に関して比較的薄い厚みを有する薄板形状を有している。すなわちセンサ本体部３１は、図４に示す額接触部３１Ａと、たとえば額接触部３１Ａよりも図の左右方向に長く延び図の上下方向の幅が狭い直線部３１Ｂと、平面視において屈曲した形状を有し直線部３１Ｂと同程度の幅を有するセンサラウンド部３１Ｃとを有している。
【００３８】
図４における右側から左側へ、額接触部３１Ａ、直線部３１Ｂ、センサラウンド部３１Ｃの順に並んでいる。図４においては額接触部３１Ａと直線部３１Ｂとは直線状に並んでいる。直線部３１Ｂよりも額接触部３１Ａの方が図４における上下方向の幅がやや太くなっているため、これにより額接触部３１Ａと直線部３１Ｂとを区別できる。またセンサラウンド部３１Ｃはセンサ保持具１の第２の巻付け部１２Ｒと同様に、その長手方向（図４の左右方向）に交差する短手方向（図４の上下方向）に関する端面が、滑らかな曲線を描くように湾曲したセンサ曲縁部ＳＲＤとして形成された領域をいうものとする。
【００３９】
額接触部３１Ａの主表面上の一部には、シグナル３２が１つ形成されている。なおシグナル３２は、額接触部３１Ａのうち比較的これに隣り合う直線部３１Ｂに近い領域に形成されることがより好ましい。シグナル３２は直線部３１Ｂのうち比較的額接触部３１Ａに近い領域に形成されてもよい。
【００４０】
またセンサラウンド部３１Ｃの主表面上の一部には、複数（図４においては５つ）のリファレンスグランド３３（第１の電極）が形成されている。複数（図４においては５つ）のリファレンスグランド３３は、センサ曲縁部ＳＲＤに倣って湾曲した第３の領域としてのリファレンスグランド３３の平面形状に沿って、センサ曲縁部ＳＲＤの延びる方向に関して互いに間隔をあけて形成されている。
【００４１】
これらの額接触部３１Ａおよびセンサラウンド部３１Ｃに挟まれた直線部３１Ｂの短手方向に関する一方（図４の上側）の端面の一部からは、引出し部３７が延びている。引出し部３７は直線部３１Ｂの一方の端面のうち図４の左右方向に関する中央部からこれに交差する方向に延び、そこから湾曲して当該直線部３１Ｂの延びる図４の左右方向に沿うように延びる形状を有している。しかし引出し部３７の形状はこれに限られない。
【００４２】
センサ３（センサ本体部３１）から延びる引出し部３７からは配線３８が延びており、回路４０に接続されている。またバッテリ３９からは電力供給線が回路４０に接続されている。図示されないが配線３８はシグナル３２およびリファレンスグランド３３に電気的に接続されている。
【００４３】
次に図５、図６および図１を用いて、上記のセンサ３がセンサ保持具１に保持される態様、およびセンサ３を保持するセンサ保持具１が装着者に装着される態様について説明する。
【００４４】
図５を参照して、図４に示すセンサ３は、以下のようにセンサ保持具１に保持される。すなわちセンサ本体部３１が、内表面Ｓ１側のポケット部１３内および２つの挿通部１４内に挿入されることにより、センサ保持具１に保持される。より具体的には、センサ本体部３１のうち一端側の額接触部３１Ａが、ポケット部開口１３Ｃからポケット部１３内に挿入可能となっている。またセンサ本体部３１の中央部の直線部３１Ｂが、２つの挿通部１４のそれぞれに含まれる一方の挿通部開口１４Ｃから他方の挿通部開口１４Ｃまでこれを貫通するように挿通部１４内に挿入されるように保持される。このとき、たとえセンサ３をポケット部１３側（図５の右側）の最も奥まで挿入した場合であっても、額接触部３１Ａの一部に形成されたシグナル３２はポケット部１３内に収納されず、ポケット部１３の外側に露出する態様であることが好ましい。
【００４５】
これにより、センサ３の額接触部３１Ａおよび直線部３１Ｂは、たとえばポケット部１３内に挿入された状態では、センサ保持具１の第１の巻付け部１２Ａに接するように、すなわちセンサ保持具１の第１の巻付け部１２Ａに対応する位置に配置される。またセンサ３のセンサラウンド部３１Ｃは、センサ保持具１の第２の巻付け部１２Ｒに接するように、すなわちセンサ保持具１の第２の巻付け部１２Ｒに対応する位置に配置される。
【００４６】
また上記のようにポケット部１３内に挿入されたセンサ３のうちセンサラウンド部３１Ｃは、センサ保持具１の第２の巻付け部１２Ｒに接し、第２の巻付け部１２Ｒに沿うように保持される。このためセンサラウンド部３１Ｃは、第２の巻付け部１２Ｒに沿うように滑らかな曲線（センサ曲縁部ＳＲＤ）を描くように配置される。
【００４７】
図５においてはセンサ３のセンサラウンド部３１Ｃは、センサ保持具１のラウンド部ＲＤに隣接する領域に存在するラウンド部緩衝材１７と重ならないように配置されている。すなわちラウンド部緩衝材１７よりもラウンド部ＲＤから離れた内側にセンサラウンド部３１Ｃが配置されている。しかしこのような態様に限らず、これらは部分的に重なるように配置されてもよい。
【００４８】
図５および図１（Ａ）を参照して、図５に示す態様のセンサ３が保持されたセンサ保持具１においては、センサ保持具１の第２の巻付け部１２Ｒに沿うように（第２の巻付け部１２Ｒに対応する位置に）センサラウンド部３１Ｃが配置され、装着者の耳の後側の領域（側頭骨の鱗部から岩様部まで）を覆うように装着者の頭囲に巻き付け可能な配置となっている。またセンサ保持具１の内表面Ｓ１側に保持されるセンサ３は、センサラウンド部３１Ｃにおいて、内表面Ｓ１側を向くように複数のリファレンスグランド３３が並んでいる。このため図５に示すセンサ保持具１の使用時には、複数並ぶリファレンスグランド３３の表面が、装着者の耳の後側の領域の皮膚と接触可能となる。
【００４９】
つまりセンサ保持具１の巻付け部１２に含まれる第２の巻付け部１２Ｒは、その使用時に装着者の耳の後側にリファレンスグランド３３の表面が接触するように装着者の耳の後側を覆うことを可能とする領域である。このため第２の巻付け部１２Ｒには、装着者の耳の後側の領域の形状に対応する形状であるたとえば滑らかな曲線状のラウンド部ＲＤが形成されている。ただし図５においてはリファレンスグランド３３（センサラウンド部３１Ｃ）が部分的に第２の巻付け部１２Ｒから第３の巻付け部１２Ｂに対応する位置にまではみ出しているが、このような態様を有していてもよい。
【００５０】
なお図５においてはセンサ３のセンサラウンド部３１Ｃには５つのリファレンスグランド３３が形成されている。しかし最低限要求される精度の信号を得る観点から、これらのうち少なくとも互いに隣り合うように並ぶ１対のリファレンスグランド３３の双方が、装着者の耳の後側の領域の皮膚と接触可能であることが好ましい。
【００５１】
また図５に示すセンサ保持具１の使用時には、センサ３の額接触部３１Ａに形成されるがポケット部１３内から露出するように配置されたシグナル３２の表面が、装着者の額の皮膚と接触可能となる。
【００５２】
つまりセンサ保持具１の巻付け部１２に含まれる第１の巻付け部１２Ａは、その使用時に装着者の額にシグナル３２の表面が接触するように装着者の額を覆うことを可能とする領域である。以上により、センサ保持具１の使用時には、内表面Ｓ１側に配置されるシグナル３２およびリファレンスグランド３３の双方が、装着者の頭部の皮膚の一部と接触可能となる。
【００５３】
次に、センサ３の直線部３１Ｂから延びる引出し部３７は、センサ保持具１の第１の巻付け部１２Ａの切欠き部１５において、センサ３が配置される内表面Ｓ１側から反対側の外表面Ｓ２側に達するように延びるように配置される。すなわち引出し部３７は、切欠き部１５に接触しながら、内表面Ｓ１側と外表面Ｓ２側とを跨ぐように配置される。
【００５４】
切欠き部１５の近傍には保持部１６が配置され、これが切欠き部１５において内表面Ｓ１側から反対側の外表面Ｓ２側にまで延びる引出し部３７をセンサ保持具１（切欠き部１５）に固定している。
【００５５】
図６および図１（Ｂ）を参照して、ポケット部１３内に挿入されたセンサ３の一部である引出し部３７が内表面Ｓ１側から外表面Ｓ２側まで延びている。これに伴い、引出し部３７と回路４０とを接続する配線３８が、切欠き部１５を内表面Ｓ１側から外表面Ｓ２側まで延伸可能となっている。その結果、センサ本体部３１はセンサ保持具１の内表面Ｓ１側に保持されるが、バッテリ３９および回路４０はセンサ保持具１の外表面Ｓ２側に保持可能となる。そしてたとえばバッテリ３９が、センサ保持具１の外表面Ｓ２側に形成される格納部１１Ａ内に、格納部開口１１Ｃから挿入されるように保持される。またたとえば回路４０が、センサ保持具１の外表面Ｓ２側に形成される格納部１１Ｂ内に、格納部開口１１Ｃから挿入されるように保持される。したがってバッテリ３９および回路４０は、巻き付けられたセンサ保持具１の外側に配置され、装着者に直接接触しない態様となる。
【００５６】
以上のようにセンサ３は、センサ保持具１のポケット部１３内に少なくとも部分的に挿入され、かつ配線３８を介して回路４０が接続された構成を有している。そしてセンサ保持具１は、上記のようにセンサ３を保持することが可能である。
【００５７】
なおセンサ３には、回路４０と同様に、センサ保持具１の外表面Ｓ２側に保持可能な表示器（図示せず）がさらに接続されていてもよい。この表示器は、たとえば脳波等の測定結果（測定値）を表示可能な機能を有している。
【００５８】
次に、本実施の形態の作用効果について説明する。
本実施の形態のセンサ保持具１は、その本体部である巻付け部１２に対してセンサ３が摺動可能とするための保持部材であるポケット部１３および挿通部１４を有している。このためセンサ保持具１は、たとえ装着者が頭を動かすことにより巻付け部１２が位置ずれするように動いたとしても、その動きに対して柔軟に動くことにより、センサ３のシグナル３２およびリファレンスグランド３３などの電極が接触すべき装着者の適切な位置に接触固定された状態を維持することができる。
【００５９】
そのシグナル３２が接触すべき適切な位置とは、第１の巻付け部１２Ａが覆うことが可能な装着者の額であり、リファレンスグランド３３が接触すべき位置とは、第２の巻付け部１２Ｒが覆うことが可能な装着者の耳の後側の領域である。巻付け部１２は電極の接触すべき位置に対応する領域を含むため、このような電極の装着者への接触状態を維持することができる。
【００６０】
以上により、本実施の形態のセンサ保持具１は、センサ３の電極であるシグナル３２およびリファレンスグランド３３を装着者の頭部の適切な位置にフィットさせることと、装着者の頭部の動きに応じて柔軟に動くこととの双方を可能とする。
【００６１】
また本実施の形態のセンサ保持具１は、上記のセンサ３を摺動可能とする保持部材により、装着者の頭の大きさおよび形状にかかわらず、より多くの装着者の頭囲に適度にフィット可能な構成を有する。このため本実施の形態のセンサ保持具１は、装着者の頭の動きのみならず、装着者の頭の大きさおよび形状に対しても柔軟に動き適度にセンサ３をフィットさせることが可能な構成を有しているといえる。このためセンサ保持具１は、センサ３が頭部生理的信号を正確に検出することを可能とする。
【００６２】
次に、本実施の形態のセンサ保持具１は、保持部材としてポケット部１３を有している。このポケット部１３は、内表面Ｓ１における第１の巻付け部１２Ａに形成されており、巻付け部１２の一端側端部１２Ｅ１とは反対側である他端側にポケット部開口１３Ｃを有する。これにより、センサ保持具１は、センサ３を、ポケット部開口１３Ｃの形成される他端側と一端側端部１２Ｅ１の形成される一端側とを結ぶ図２の左右方向に関してある程度自由に動かすことができる。このため上記のように、装着者の頭の動きや大きさなどにかかわらず、ある程度センサ３の適度な位置への接触状態を保つことができる。
【００６３】
また本実施の形態のセンサ保持具１は、保持部材として、上記の一端側と他端側との双方が開口した挿通部１４Ａ，１４Ｂを有している。この挿通部１４Ａ，１４Ｂは、センサ３を、挿通部開口１４Ｃの形成される一端側と他端側とを結ぶ図２の左右方向に関してある程度自由に動かすことができる。このため上記のように、装着者の頭の動きや大きさなどにかかわらず、ある程度センサ３の適度な位置への接触状態を保つことができる。
【００６４】
また本実施の形態のセンサ保持具１は、第２の巻付け部１２Ｒにラウンド部ＲＤが形成され、さらに第３の巻付け部１２Ｂを有している。湾曲形状のラウンド部ＲＤを有することにより、ラウンド部ＲＤを装着者の耳の後側の領域に容易に宛がうことができる。またラウンド部ＲＤが巻付け部１２の短手方向に関する一方側に形成されることにより、これを挟むようにその一端側および他端側に配置される第１の巻付け部１２Ａと第３の巻付け部１２Ｂとの短手方向の幅を変更させることができる。
【００６５】
ここでは第３の巻付け部１２Ｂが第１の巻付け部１２Ａよりも短手方向の幅が太い。基本的に図１に示すように、第１の巻付け部１２Ａは装着者の頭部のうち額を含む前方の領域を、第３の巻付け部１２Ｂは装着者の後頭部を、第２の巻付け部１２Ｒはそれらの間の装着者の耳の後側の領域を巻き付ける。センサ保持具１がこのような構成を有することにより、センサ３に形成されたシグナル３２およびリファレンスグランド３３などの電極を、装着者の頭部の表面（皮膚）の耳の後側および額などの所望の箇所に接触させ、センサ３がそこからの信号を高精度に検知可能とすることができる。
【００６６】
本実施の形態のセンサ保持具１は、第３の巻付け部１２Ｂが第１の巻付け部１２Ａよりも伸縮性が高くなっている。すなわち装着者の後頭部を覆う第３の巻付け部１２Ｂをより伸縮しやすくすることにより、センサ保持具１が保持するセンサ３の電極が装着者の頭部に接触するだけでなく、第３の巻付け部１２Ｂにより装着者の頭部表面に対して当該電極を押さえつける力を供給できる。またこれと同時に、第３の巻付け部１２Ｂの伸縮により、強すぎず弱すぎない適度な締め付け力を装着者に与えることができる。このため、センサ保持具１を巻き付けた装着者がより心地よいフィット感を得ることが可能であるとともに、脳波などの信号をより確実に検出することができる。
【００６７】
ただしこのようにしても、装着者の頭部への巻き付け時に、第３の巻付け部１２Ｂの図２における下側の領域（装着者の頭の下側を覆う部分）が緩む可能性がある。このようになれば、第３の巻付け部１２Ｂの当該下側の領域が頭部から上方へ浮かび上がり、センサの電極の頭部皮膚への接触性が低下する可能性がある。そこで本実施の形態のセンサ保持具１は、特に第３の巻付け部１２Ｂの下側（第２の巻付け部１２Ｒのラウンド部ＲＤが設けられた側）の端部に補強部２１が形成されている。この補強部２１は特に第３の巻付け部１２Ｂの巻き付け時におけるその下側の領域が頭部から浮かび上がるように離れる不具合を抑制する。このため補強部２１は、第３の巻付け部１２Ｂの下方、およびその近傍の第２の巻付け部１２Ｒに配置されたリファレンスグランド３３を装着者の頭部（耳の後部）にしっかり密着させることができ、脳波などの信号の検知精度を高めることができる。
【００６８】
次に、本実施の形態のセンサ保持具１は、第１の巻付け部１２Ａにおける短手方向の一方の端面の一部に切欠き部１５が形成されており、当該切欠き部１５をセンサ３の一部である引出し部３７や配線３８が通ることにより、内表面Ｓ１側に保持されたセンサ３からバッテリ３９および回路４０を外表面Ｓ２側に引き回すことを可能としている。また外表面Ｓ２側には、引き回されたバッテリ３９および回路４０を保持可能な格納部１１が形成されている。
【００６９】
バッテリ３９および回路４０などは硬質材料により形成されているため、仮にこれらが内表面Ｓ１側に保持され装着者の頭部などに直接接触すれば、装着者が不快感を覚える場合がある。またそもそもバッテリ３９などの制御機器を人体に直接触れさせることは健康上の観点からも好ましくない。しかしバッテリ３９などを接続するセンサ本体部３１は、シグナル３２などの電極を装着者の肌に直接接触させることが必要であるため内表面Ｓ１側に保持される必要がある。そこでバッテリ３９などの格納部１１が外表面Ｓ２側に形成されることにより、バッテリ３９および回路４０が装着者に対して外側向きに保持されるため、装着者の体に直接触れることを回避することができる。
【００７０】
このような構成を実現するために、仮に切欠き部１５の存在しないセンサ保持具１の一方の端部上を超えて内表面Ｓ１側から外表面Ｓ２側へ配線３８などを引き回そうとすれば、配線３８などに断線が生じやすくなる。そこでセンサ保持具１の一部の領域に形成された切欠き部１５を通して配線３８などの外表面Ｓ２側への引出しを可能とすれば、断線などの不具合の可能性を抑止することができる。また切欠き部１５を通すことにより、配線３８などを通す距離をより短く（最短距離に）することができる。
【００７１】
その他、たとえば切欠き部１５を形成してそこに配線３８などを通すだけであれば、配線３８が切欠き部１５にて捩れ、その線形の形状を確保できなくなるなどの不具合を起こす可能性がある。そこで切欠き部１５の近傍に面ファスナーなどの保持部１６を設けることにより、切欠き部１５での配線３８などを定位置に固定させ、その配線３８の線形の形状を確保することができる。
【００７２】
その他、本実施の形態のセンサ保持具１は、第２の巻付け部１２Ｒにおいてそのラウンド部ＲＤに沿うようにラウンド部緩衝材１７が配置されている。ラウンド部緩衝材１７は他の部分よりも柔らかい材料により形成されるため、これにより、センサ保持具１を頭部に巻き付けた際に、装着者が窮屈に感じるなどの不具合を解消させることができる。
【００７３】
以上の本実施の形態のセンサ保持具１は、以下の構成を有するセンサ３を保持可能な構成を有し、当該センサ３とともに装着者の頭囲などに巻き付けられ使用される。センサ３は第２の巻付け部１２Ｒに沿うように第２の巻付け部１２Ｒにて保持され、第２の巻付け部１２Ｒに沿うように滑らかなセンサ曲縁部ＳＲＤを描くセンサラウンド部３１Ｃを含んでおり、このセンサラウンド部３１Ｃには複数のリファレンスグランド３３が含まれる。このような構成を有することにより、センサラウンド部３１Ｃは装着者の耳の後側の領域にリファレンスグランド３３を接触可能な構成となる。また当該センサ３はポケット部１３内に挿入された状態で第１の巻付け部１２Ａにて保持される額接触部３１Ａを含んでおり、額接触部３１Ａには装着者の額と接触可能なシグナル３２が配置されている。
【００７４】
装着者の額は、被検者の脳波などの信号を検出する箇所としてとくに適している。これはセンサ３に含まれる電極であるシグナル３２が額に取り付けられれば、額の汗によりシグナル３２は額の表面に容易に密着する。このため高精度な脳波の信号を得ることができる。またリファレンスグランド３３は、被検者の頭部から、シグナル３２から得られる信号に対して差分を取ることが可能な信号を得るための電極であり、これを精度良く得る観点からは、頭部のうちなるべく装着者の額から離れた位置にリファレンスグランド３３を接触させることが好ましい。そこで通常、頭髪が生えていない耳の後側の領域にリファレンスグランド３３を取り付ける。これにより、頭髪に起因する信号へのノイズの発生を抑制することができ、また額部から離れていることにより額からの脳波の信号のノイズが重なることを抑制することができる。このため高精度なリファレンス信号を得ることができる。本実施の形態のセンサ３およびセンサ保持具１を用いることにより、上記のように高精度な脳波などの信号およびそれに対するリファレンス信号を得ることができる。
【００７５】
（実施の形態２）
図７を参照して、本実施の形態に係るセンサ保持具１の内表面Ｓ１側の構成は、基本的に図２に示す実施の形態１に係るセンサ保持具１の内表面Ｓ１側の構成と同様である。ただし本実施の形態においては、第３の巻付け部１２Ｂの下側の端部に配置される補強部２２が、実施の形態１の補強部２１のように強固な縫合部ではなく、他の部分よりも伸縮性が低い部材が配置された領域として形成されている。この点において本実施の形態のセンサ保持具１は、実施の形態１のセンサ保持具１と異なっている。本実施の形態の外表面Ｓ２側の構成については基本的に実施の形態１と同様であるため、詳細な説明を省略する。
【００７６】
なお、これ以外の本実施の形態の構成は、実施の形態１の構成とほぼ同じであるため同一の要素については同一の符号を付し、その説明は繰り返さない。
【００７７】
本実施の形態のように低伸縮性部材としての補強部２２についても、実施の形態１の縫合部としての補強部２１と同様に、特に第３の巻付け部１２Ｂの巻き付け時におけるその下側の領域が頭部から浮かび上がるように離れる不具合を抑制する。このため補強部２２は、第３の巻付け部１２Ｂの下方、およびそこに近接する第２の巻付け部１２Ｒに配置されたリファレンスグランド３３を装着者の頭部（耳の後部）にしっかり密着させることができ、脳波などの信号の検知精度を高めることができる。
【００７８】
（実施の形態３）
図８を参照して、本実施の形態に係るセンサ保持具１の内表面Ｓ１側の構成は、基本的に図２に示す実施の形態１に係るセンサ保持具１の内表面Ｓ１側の構成と同様である。ただし本実施の形態のセンサ保持具１は、第２の巻付け部１２Ｒまたは第３の巻付け部１２Ｂにおいて、第１の巻付け部１２Ａのポケット部１３と同様の形状を有するポケット部１３が形成されている。
【００７９】
第２の巻付け部１２Ｒのポケット部１３は、第１の巻付け部１２Ａのポケット部１３に図５と同様に額接触部３１Ａが挿入されたセンサ３の、特にセンサラウンド部３１Ｃを挿入可能とする態様で、内表面Ｓ１上に設置されている。すなわち第２の巻付け部１２Ｒのポケット部１３は、センサラウンド部３１Ｃにおいて湾曲したセンサ３を図８の上側から受け入れ可能とすべく、図８に示すようにほぼ上側を向くポケット部開口１３Ｃが形成されており、図８の左側、右側および下側においてはポケット部１３が内表面Ｓ１に縫合された構成を有している。
【００８０】
なお当該ポケット部１３の上下方向に直線状に延びる部分が図８の上下方向に対してやや（右上から左下に延びるように）傾いている。これはラウンド部ＲＤの延びる方向、および当該部分に沿って延びるセンサ３のセンサラウンド部３１Ｃの方向により近い方向にポケット部１３の直線状に延びる部分を配置し、センサラウンド部３１Ｃなどとよりフィットしやすくする観点に基づく。
【００８１】
本実施の形態のセンサ保持具１も、実施の形態１などと同様に、第１の巻付け部１２Ａの一端側端部１２Ｅ１に近接する領域にポケット部１３が形成されている。つまり本実施の形態においてはポケット部１３が、第１の巻付け部１２Ａと第２の巻付け部１２Ｒまたは第３の巻付け部１２Ｂとの２箇所に形成されている。図８においては第３の巻付け部１２Ｂにポケット部１３が形成されているが、ラウンド部ＲＤに対向する（ラウンド部ＲＤとの間にたとえばラウンド部緩衝材１７を有する程度の幅を有する）ようにポケット部１３が配置されていれば、第２の巻付け部１２Ｒまたは第３の巻付け部１２Ｂのいずれにポケット部１３が配置されていてもよい。
【００８２】
第１の巻付け部１２Ａにおけるポケット部１３は、実施の形態１と同様に、上記の一端側（図８の右側）と反対側（図８の左側）にポケット部開口１３Ｃを有するように形成されている。これにより、第１の巻付け部１２Ａにおけるポケット部１３は、センサ３の特に額接触部３１Ａを収納可能としている。また第２の巻付け部１２Ｒにおけるポケット部１３は、ほぼ図８の上方すなわち短手方向に関する他方側にポケット部開口１３Ｃを有するように形成されている。すなわちこのポケット部１３は、図８における左側、右側および下側の端面においてたとえば内表面Ｓ１と縫合されている。これにより、第２の巻付け部１２Ｒにおけるポケット部１３は、センサ３の特にセンサラウンド部３１Ｃを収納可能としている。
【００８３】
この点において本実施の形態のセンサ保持具１は、実施の形態１のセンサ保持具１と異なっている。本実施の形態の外表面Ｓ２側の構成については基本的に実施の形態１と同様であるため、詳細な説明を省略する。
【００８４】
なお、これ以外の本実施の形態の構成は、実施の形態１の構成とほぼ同じであるため同一の要素については同一の符号を付し、その説明は繰り返さない。
【００８５】
以上により、図示されないが本実施の形態においては、たとえば図５と同様にセンサ３の一端側（額接触部３１Ａ）が第１の巻付け部１２Ａのポケット部１３に、センサ３の他端側（センサラウンド部３１Ｃ）が第２の巻付け部１２Ｒのポケット部１３に、それぞれ挿入可能となる。すなわち１つのセンサ３が、その一端側と他端側との双方において、ポケット部１３内に収納可能となる。これら１対のポケット部１３は、（センサ３が湾曲しているため幾何学的に対向してはいないものの）一方が挿入されたセンサ３の額接触部３１Ａ側を向くような態様のポケット部開口１３Ｃを有し、他方が挿入されたセンサ３のセンサラウンド部３１Ｃ側を向くような態様のポケット部開口１３Ｃを有している。このため、１対のポケット部１３のそれぞれの内部にセンサ３の一端側と他端側とが挿入された状態においても、センサ３は、一端側端部１２Ｅ１側と他端側端部１２Ｅ２側との間（２つのポケット部１３の間）を、（巻付け部１２の長手方向に関して）自由に、センサ保持具１に対してスライド可能となる。
【００８６】
またこの場合においても、実施の形態１と同様に、センサ３のスライドにより、所望の電極（シグナル３２およびリファレンスグランド３３）がポケット部１３から露出して装着者に直接接触可能な位置にセットされるようにセンサ３の位置を調整することができる。
【００８７】
（実施の形態４）
図９を参照して、本実施の形態に係るセンサ保持具１の内表面Ｓ１側の構成は、基本的に図２に示す実施の形態１に係るセンサ保持具１の内表面Ｓ１側の構成と同様である。ただし本実施の形態のセンサ保持具１は、第３の巻付け部１２Ｂの、第２の巻付け部１２Ｒにおいてラウンド部ＲＤが設けられた側（図２の下側）の端面が湾曲されておらず、第３の巻付け部１２Ｂの短手方向の幅が各領域においてほぼ一定となっている。つまり本実施の形態においては、たとえば実施の形態１のように第３の巻付け部１２Ｂの、第２の巻付け部１２Ｒにおいてラウンド部ＲＤが設けられた側（図２の下側）の端面が、他端側端部１２Ｅ２側に向けて短手方向の幅が漸次やや細くなるように湾曲してはいない。この点において本実施の形態のセンサ保持具１は、実施の形態１のセンサ保持具１と異なっている。
【００８８】
なお、これ以外の本実施の形態の構成は、実施の形態１の構成とほぼ同じであるため同一の要素については同一の符号を付し、その説明は繰り返さない。
【００８９】
図９のような構成を有していても、補強部２１または補強部２２が巻付け部１２を装着者の頭部上方に向けて押しつける力を十分に与えることが可能であれば、基本的に実施の形態１と同様の作用効果が得られる。
【００９０】
以上に挙げた各実施の形態の構成は、技術的に矛盾のない範囲で適宜組み合わせてもよい。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１  センサ保持具、３  センサ、１１，１１Ａ，１１Ｂ  格納部、１１Ｃ  格納部開口、１２  巻付け部、１２Ａ  第１の巻付け部、１２Ｂ  第３の巻付け部、１２Ｅ１  一端側端部、１２Ｅ２  他端側端部、１２Ｒ  第２の巻付け部、１３  ポケット部、１３Ｃ  ポケット部開口、１４，１４Ａ，１４Ｂ  挿通部、１４Ｃ  挿通部開口、１５  切欠き部、１６  保持部、１７  ラウンド部緩衝材、１８  接続部、２１，２２  補強部、３１  センサ本体部、３１Ａ  額接触部、３１Ｂ  直線部、３１Ｃ  センサラウンド部、３２  シグナル、３３  リファレンスグランド、３７  引出し部、３８  配線、３９  バッテリ、４０  回路、ＲＤ  ラウンド部、Ｓ１  内表面、Ｓ２  外表面、ＳＲＤ  センサ曲縁部。
【図１】
2017086543.tif 000003
【図２】
2017086543.tif 000004
【図３】
2017086543.tif 000005
【図４】
2017086543.tif 000006
【図５】
2017086543.tif 000007
【図６】
2017086543.tif 000008
【図７】
2017086543.tif 000009
【図８】
2017086543.tif 000010
【図９】
2017086543.tif 000011